(57)【要約】      （修正有）【課題】注射器の挿入時及び抜去時における操作を容易にし、閉塞性能も格段に向上し、薬液や血液等の飛び跳ねや液漏れを防止でき、ニードル注射器は、もとよりニードルレス注射器の使用を可能にした医療混注管用割弁の提供。【解決手段】ニードルレス混注管用割弁８は、該割弁の上面から下方へ中心を通る有底１１ｆの溝状切込部１１ａ又は下面から上方へ中心を通る有天１１ｇの溝状切込部１１ｂを有し、かつ該溝状切込部の中心に誘導用閉塞孔１１ｃを設けたことからなる。その上面部８１には、同心円状に円形凹部１２ａを有し、またその下面部８２には、同心円状に凹曲面部１２ｂを有している。これらの溝状切込部１１ａ、１１ｂは、互いに十文字に形成された密着閉塞溝からなっている。【選択図】  図１
2005046176.tif 000002
【特許請求の範囲】
【請求項１】
側壁の上端及び下端の円周上にそれぞれシールリップを有していてもよい円板状割弁において、該割弁の上面から下方へ中心を通る有底の溝状切込部又は下面から上方へ中心を通る有天の溝状切込部を有し、かつ該溝状切込部の中心に誘導用閉塞孔を設けたことを特徴とする医療混注管用割弁。
【請求項２】
側壁の上端及び下端の円周上にそれぞれシールリップを有していてもよい円板状割弁において、該割弁の上面から下方へ中心を通る有底の溝状切込部及び下面から上方へ中心を通る有天の溝状切込部を十文字に形成して得られた交差部を有することを特徴とする医療混注管用割弁。
【請求項３】
前記交差部は、薄膜で不連続となっていることを特徴とする請求項２に記載の医療混注管用割弁。
【請求項４】
前記交差部の薄膜の中心に誘導用閉塞孔を有することを特徴とする請求項２又は請求項３に記載の医療混注管用割弁。
【請求項５】
少なくとも溝状切込部又は誘導用閉塞孔のいずれかは、先細となるテーパー形状を有することを特徴とする請求項２乃至請求項４のいずれかに記載の医療混注管用割弁。
【請求項６】
前記溝状切込部は、両端が角形状又は円形状を有することを特徴とする請求項２乃至請求項５のいずれかに記載の医療混注管用割弁。
【発明の詳細な説明】
【０００１】
【発明の属する技術分野】本発明は、医療混注管用割弁に関し、更に詳しくは医療用技術分野において用いられる穿刺針無装着状態の注射器（以後、ニードルレス注射器と称する。）の先端テーパ部の挿入並びに抜去が容易になると共に割弁の閉塞性も向上し、抜去時の薬液や血液等の飛び跳ねを防止し得るニードルレス混注管用割弁、ニードル混注管用割弁及び流体用に使用される割弁に関するものである。
【０００２】
【従来の技術】従来、混注管は分岐管を有し、該分岐管の開口部にゴム部材を密栓し、このゴム部材に穿刺針を突き刺してシリンジ等と接続し、薬液等を注入するか採血するごとく使用されている。このような混注管は、例えば、図１０に示される如き態様で用いられている。図１０において、ニードルレス混注管は、開口端３ａ，３ｂを有する本管２と側管４とがＴ字形を有する管１からなり、この側管４に蓋５を有し、この側管４内には、弾性部材８０が充填されている。この弾性部材８０の中心部には閉塞孔、例えば直線状切り込み等が設けられており、前述の穿刺針と同様にニードルレス注射器の先端テーパ部が挿入され、薬液や血液等を注入乃至採血することが行われている。
【０００３】
【発明が解決しようとする課題】しかしながら、前述のごとき直線状切り込みからなる閉塞孔の場合、ニードルレス注射器等の先端テーパ部を割弁に差し込むとき、穿刺針と比較して先端テーパ部の口径がかなり太いため、挿入時や抜去の際、割弁本体の反撥力が大きいため、血液または薬液等の飛び散りの原因となる。更に差し込み等で割弁の閉塞孔の反撥抵抗が強ければ差し込み抵抗が増大し差し込み難くなったり、無理に差し込んだりすると、割弁の装着固定が歪み、この歪みによってその隙間から血液や薬液等の漏れが生じ易くなったり、更には挿入後にニードルレス注射器に何らかの力が加わり前後左右に揺さぶられた場合にも開口部の隙間が広がり、該開口部から血液や薬液の漏れが生じ易くなり、最悪の場合には固定ケースから脱落することも懸念される。即ち、穿刺抵抗が大きく容易に挿入することが困難であるばかりでなく、挿入時及び挿入後の閉塞孔の開口条件によっては薬液や血液等の液漏れや抜去時の飛び跳ねが起こるという閉塞性能上の問題があった。そこで、本発明者等は、この点について更に詳細に検討したところ、弾性部材の外周面に凹部を形成することにより注射器の先端テーパ部の挿入時に起こる抵抗を拡散することができ、その結果薬液や血液等の飛び跳ねを防止することができるようになった。また外周面に凹部を形成すると共に、閉塞溝として上面及び下面から内部方向へ溝状切込部を十文字に間接交差させて交差部に薄膜を形成し、該薄膜に注射器の先端テーパ部の貫通誘導路としての極細孔を形成し、該得られた極細孔からなる閉塞孔の働きにより穿刺抵抗を軽減し、かつ挿入時及び抜去時における操作を容易にすることができ、また閉塞性能も向上し、薬液や血液等の飛び跳ねを防止することができることを見出した。したがって、本発明が解決しようとする課題は、注射器の挿入時及び抜去時における操作を容易にすることができ、また閉塞性能も格段に向上し、薬液や血液等の飛び跳ねや液漏れを防止することができる。穿刺針を装着した注射器（以後、ニードル注射器と称する。）は、もとよりニードルレス注射器の使用を可能にした優れた医療混注管用割弁を提供することにある。
【０００４】
【課題を解決するための手段】上記本発明の課題は、以下の各発明によってそれぞれ達成される。
【０００５】
（１）側壁の上端及び下端の円周上にそれぞれシールリップを有していてもよい円板状割弁において、該割弁の上面から下方へ中心を通る有底の溝状切込部又は下面から上方へ中心を通る有天の溝状切込部を有し、かつ該溝状切込部の中心に誘導用閉塞孔を設けたことを特徴とする医療混注管用割弁。
（２）側壁の上端及び下端の円周上にそれぞれシールリップを有していてもよい円板状割弁において、該割弁の上面から下方へ中心を通る有底の溝状切込部及び下面から上方へ中心を通る有天の溝状切込部を十文字に形成して得られた交差部を有することを特徴とする医療混注管用割弁。
（３）前記交差部は、薄膜で不連続となっていることを特徴とする前記第２項に記載の医療混注管用割弁。
（４）前記交差部の薄膜の中心に誘導用閉塞孔を有することを特徴とする前記第２項又は第３項に記載の医療混注管用割弁。
（５）少なくとも溝状切込部又は誘導用閉塞孔のいずれかは、先細となるテーパー形状を有することを特徴とする前記第２項乃至第４項のいずれかに記載の医療混注管用割弁。
（６）前記溝状切込部は、両端が角形状又は円形状を有することを特徴とする前記第２項乃至第５項のいずれかに記載の医療混注管用割弁。
【０００６】
【発明の実施の形態】本願明細書において、混注管とは、ニードル混注管、ニードルレス混注管を始め、その他の混注管を含む意味に用いている。医療混注管用割弁とは、医療用技術分野において用いられるニードル注射器、ニードルレス注射器や流体用に使用される各種の医療機具の部品としての割弁の意味に用いられる。また閉塞孔とは、貫通孔とは異なり、割弁の製造時に得られた割弁に孔を開けた場合、該孔は、弾性部材からなるため、孔は収縮して実質的に内面同士が密着した状態をいう意味に用いている。更に溝状切込部とは、わずかな隙間を有していても有していなくてもよい形状の切込部をいう意味に用いており、特にわずかな隙間をも有しない場合には、密着閉塞溝という。更にまた交差部とは、上面から切り込まれた有底の溝状切込部と下面から切り込まれた有天の溝状切込部とが十文字に交差しているが、これらの交差した領域は不連続部からなる薄膜からなっている形態をいう意味に用いている。したがって、この交差した領域は、上面から切り込まれた溝状切込部の底部と下面から切り込まれた溝状切込部の天井部が共有して不連続部分からなる膜を形成している領域といえる。
【０００７】
本発明の第１項に記載の医療混注管用割弁は、側壁の上端及び下端の円周上にそれぞれシールリップを有していてもよい円板状割弁において、該割弁の上面から下方へ中心を通る有底の溝状切込部又は下面から上方へ中心を通る有天の溝状切込部を有し、かつ該溝状切込部の中心に誘導用閉塞孔を設けたことにより、ニードル注射器の使用が可能であることは勿論のこと、特にニードルレス注射器における穿刺抵抗を軽減し、かつ挿入時及び抜去時における操作を容易にすることができ、また閉塞性能も向上し、薬液や血液等の飛び跳ねを防止することができるという優れた効果を奏するものである。
【０００８】
本発明の第２項に記載の医療混注管用割弁は、側壁の上端及び下端の円周上にそれぞれシールリップを有していてもよい円板状割弁において、該割弁の上面から下方へ中心を通る有底の溝状切込部及び下面から上方へ中心を通る有天の溝状切込部を十文字に形成して得られた交差部を有することにより、ニードル注射器の使用が可能であることは勿論のこと、特にニードルレス注射器における穿刺抵抗を軽減し、かつ挿入時及び抜去時における操作を容易にすることができ、また閉塞性能も向上し、薬液や血液等の飛び跳ねを防止することができるという優れた効果を奏するものである。また本発明の第３項に記載の医療混注管用割弁は、前記交差部は、薄膜で不連続となっていることにより、閉塞性能が向上し、貫通時における薬液や血液等の飛び跳ねを防止することができるという効果を奏するものである。また本発明の第４項に記載の医療混注管用割弁は、前記交差部の薄膜の中心に誘導用閉塞孔を有することにより、更にいっそう前記効果、即ちニードル注射器の使用が可能であることは勿論のこと、特にニードルレス注射器における穿刺抵抗を軽減し、かつ挿入時及び抜去時における操作を容易にすることができ、また閉塞性能も向上し、薬液や血液等の飛び跳ねを防止することができるという優れた効果を奏するものである。更に本発明の第５項に記載の医療混注管用割弁は、少なくとも溝状切込部又は誘導用閉塞孔のいずれかは、先細となるテーパー形状を有することにより、いっそう前記第２項乃至第４項の効果を奏するものである。更にまた本発明の第６項に記載の医療混注管用割弁は、前記溝状切込部は、両端が角形状又は円形状を有することにより、穿刺時及び抜針時における薬液や血液等の飛び跳ねを効果的に防止することができる。
【０００９】
以下に、本発明の実施の形態を図面で説明するが、本発明は、これらの例によって限定されるものではない。図１は、本発明のニードルレス混注管用割弁を示す拡大図面である。図１のａは、その平面図であり、図１のｂは、その側面断面図である。図２は、本発明のニードルレス混注管用割弁の別の実施形態を示す図面である。図２のａは、その平面図であり、図２のｂは、その側面断面図である。図３は、本発明のニードルレス混注管用割弁の更に別の実施形態を示す図面である。図３のａは、その平面図であり、図３のｂは、その側面断面図である。図１において、このニードルレス混注管用割弁８は、円板状からなり、その上部又は上面部８１には、同心円状に円形凹部１２ａを有し、またその下部又は下面部８２には、同心円状に凹曲面部１２ｂを有している。このような割弁８の上面は、同心円状に凹部、凸面もしくは平面を形成していてもよく、また下面に同心円状に凹曲面をそれぞれ有している。またこの例に限らず、割弁８の上面は、同心円状に凹部、凸面もしくは平面をまた下面は同心円状に凹曲面をそれぞれ有するのが好ましい。更に前記円形凹部１２ａには、割弁８の中心を通る有底１１ｆの溝状切込部１１ａが設けられており、また該凹曲面部１２ｂには、割弁８の中心を通る有天１１ｇの溝状切込部１１ｂが設けられている。これらの溝状切込部１１ａ、１１ｂは、密着閉塞溝からなっている（図１では、拡大しているため、十分な隙間があるように見える）。
【００１０】
またこれらの溝状切込部１１ａ、１１ｂは、異次元で交差しており、両者は、有底１１ｆと有天１１ｇとの間の交差部は不連続であり、実質的には膜、好ましくは薄膜ｄが形成されている。この膜ｄの厚みは、０．０５〜０．３５ｍｍである。したがって、これらの溝状切込部１１ａ、１１ｂから血液又は薬液が漏れることはない。更に溝状切込部１１ａ、１１ｂの両端は、円形状に形成されている。このように形成されているので、ニードルレス注射器を挿入したときに、無理なく広がり、かつ円形部１１ｄ又は１１ｅがニードルレス注射器の先端テーパ部の外周に作用又は密着し、血液又は薬液等が漏れることがないばかりか、薬液や血液等の飛び跳ねが防止できる。更にこのような割弁８に設けられた溝状切込部１１ａ，１１ｂの交差部において、該中心（割弁の中心）には、閉塞孔１１ｃが設けられている。この閉塞孔１１ｃは、言うまでもなく密着孔であり、孔の内面は互いに密着しているが、ニードルレス注射器の先端ペーパ部が挿入されると、容易に開き抵抗なく先端ペーパ部は通過することができる。このように本発明のニードルレス混注管用割弁は、溝状切込部１１ａと溝状切込部１１ｂとが異次元で交差し、かつこれらの間に形成される薄膜ｄに、更に閉塞孔１１ｃを設けたことにより、注射器の挿入時及び抜去時における操作を容易にすることができ、また閉塞性能も格段に向上し、薬液や血液等の飛び跳ねや液漏れを防止することができるという格別顕著な効果を奏するものである。なお、本発明の医療混注管用割弁は、前記薄膜ｄに閉塞孔１１ｃを設けたものが主としてニードルレス注射器を使用した場合に用いられるが、これに限らず前記薄膜ｄのみからなる医療混注管用割弁（閉塞孔１１ｃを有しない。）は、ニードル注射器に好都合に用いられる。
【００１１】
割弁８の側壁の円周上には、その上端及び下端にシールリップ９、９をそれぞれ設けることにより側壁凹部１０が円周面に形成される。このような形状を有する割弁８を用いることにより、混注管に嵌合した際、混注管の外壁によって、シールリップ９、９は、圧縮されるが、割弁８の側壁凹部１０は、圧縮されることなく嵌合する。そのため、溝状切込部１１ａ、１１ｂや閉塞孔１１ｃへの圧縮力の影響は少なく、注射器の挿入時及び抜去時における操作を容易にすることができ、また閉塞性能が必要程度向上し、薬液や血液等の飛び跳ねや液漏れを防止することができる。
【００１２】
図２において、ニードルレス混注管用割弁８は、円板状からなり、その上部又は上面部８１は、平面８１ｂからなり、またその下部又は下面部８２には、同心円状に凹曲面部１２ｂを有しており、更に前記平面８１には、割弁８の中心を通る有底１１ｆの溝状切込部１１ａが設けられており、また該凹曲面部１２ｂには、割弁８の中心を通る有天１１ｇの溝状切込部１１ｂが設けられている。これらの溝状切込部１１ａ、１１ｂは、密着閉塞溝からなっている（図２では、拡大しているため、十分な隙間があるように見える）。
【００１３】
図３において、ニードルレス混注管用割弁８は、円板状からなり、その上部又は上面部８１は、同芯円状の円形凸部８１ａを有している以外は、他の構成は、図１又は図２と同様である。即ち、その下部又は下面部８２には、同心円状に凹曲面部１２ｂを有しており、更に前記平面８１には、割弁８の中心を通る有底１１ｆの溝状切込部１１ａが設けられており、また該凹曲面部１２ｂには、割弁８の中心を通る有天１１ｇの溝状切込部１１ｂが設けられている。これらの溝状切込部１１ａ、１１ｂは、密着閉塞溝からなっている（図２では、拡大しているため、十分な隙間があるように見える）。
【００１４】
図４乃至図６は、本発明の割弁８の他のいくつかの実施の形態を示す断面図である。図２と同様に、図４は、上面が平面である割弁を示す断面図である。図４のａにおいて、ニードルレス混注管用割弁８は、円板状からなり、その上部又は上面部８１は、平面８１ｂからなり、またその下部又は下面部８２には、同心円状に凹曲面部１２ｂを有しており、更に前記平面８１ｂには、割弁８の中心を通る有底１１ｆの溝状切込部１１ａが設けられており、また該凹曲面部１２ｂには、割弁８の中心を通る有天１１ｇの溝状切込部１１ｂが設けられている。これらの溝状切込部１１ａ、１１ｂは、密着閉塞溝からなっている。更にこのような割弁８に設けられた溝状切込部１１ａ，１１ｂの交差部において、該中心（割弁の中心）には、閉塞孔１１ｃが設けられている。この閉塞孔１１ｃは、言うまでもなく密着孔である。図４のｂにおいて、下面部８２には、平面８２ｂからなり、これ以外の構成は図４のａと同じである。
【００１５】
図１と同様に、図５は、上面に同心円状に凹曲面部１２ａを有する割弁を示す断面図である。図５のａにおいて、同心円状に凹曲面部１２ａを有する上面には、割弁８の中心を通る有底１１ｆの溝状切込部１１ａを有し、下面８２には、同心円状に凹曲面部１２ｂを有しており、更に該凹曲面部１２ｂには、割弁８の中心を通る有天１１ｇの溝状切込部１１ｂが設けられている。更にこのような割弁８に設けられた溝状切込部１１ａ，１１ｂの交差部において、該中心（割弁の中心）には、閉塞孔１１ｃが設けられている。この閉塞孔１１ｃは、言うまでもなく密着孔である。図５のｂにおいて、下面８２は、平面８２ｂからなり、これ以外の構成は図５のａと同じである。
【００１６】
図１と同様に、図６は、上面に同心円状に凸曲面部８１ａを有する割弁を示す断面図である。図６のａにおいて、同心円状に凸曲面部８１ａを有する上面には、割弁８の中心を通る有底１１ｆの溝状切込部１１ａを有し、下面８２には、同心円状に凹曲面部１２ｂを有しており、更に該凹曲面部１２ｂには、割弁８の中心を通る有天１１ｇの溝状切込部１１ｂが設けられている。更にこのような割弁８に設けられた溝状切込部１１ａ，１１ｂの交差部において、該中心（割弁の中心）には、閉塞孔１１ｃが設けられている。この閉塞孔１１ｃは、言うまでもなく密着孔である。図５のｂにおいて、下面８２は、平面８２ｂからなり、これ以外の構成は図５のａと同じである。
【００１７】
図８は、本発明の医療混注管用割弁の更に別の実施の形態を示す図面であり、図８のａは、マイナス形状の溝状切込部を有する割弁を示す平面図であり、図８のｂは、その断面図である。図８において、割弁８は、上面８１には、同心円状に凹曲面部１２ａを有し、また下面８２には、第１凹部１２ｂを有し、更に該凹部１２ｂに第２凹部１２ｃを有している。この凹部１２ｃの中心には、有天１１ｇを有する溝状切込部１１ａが設けられ、更に上面凹部１２ａと有天１１ｇを有する溝状切込部１１ａとの間に存在する薄膜に閉塞孔１１ｃを設ける。この際、溝状切込部１１ａの両端部１１ｄ、１１ｄは、円形状に形成されており、このような形状を有することによって、ニードルレス注射器の先端テーパ部を挿入すると、この溝状切込部１１ａは、両側に押されて開くばかりでなく両端部１１ｄ、１１ｄは、共に前記先端テーパ部の外周に作用又は密着するので、全く隙間が形成されることがなく、したがって、血液や薬液等の漏れがないという優れた効果を奏するものである。図９は、本発明の医療混注管用割弁の更に別の実施の形態を示す図面であり、図９のａは、マイナス形状の溝状切込部を有する割弁を示す平面図であり、図９のｂは、その断面図である。図９において、割弁８は、上面８１には、同心円状に凹曲面部１２ａを有し、また下面８２には、凹曲面部１２ｂを有する。図８と同様に、更に上面凹部１２ａと有天１１ｇを有する溝状切込部１１ａとの間に存在する薄膜に閉塞孔１１ｃを設ける。このように形成したことにより、図８に示された割弁と同様の効果を奏するものである。また図８及び図９において、割弁８の上面に設けられた凹曲面部１２ａに対して、該下面８２に設けられた凹曲面部１２ｂの方が曲率半径が大きく形成されており、これはニードルレス注射器の先端テーパ部を挿入した際、該先端テーパ部の侵入方向へ十分たわみ挿入を容易にするためである。
【００１８】
本発明に用いられる医療混注管用割弁８の材質としては、シリコーンゴム、天然ゴム（例えば純化天然ゴム）、ポリウレタン、軟質ポリ塩化ビニル、スチレン−ブタジエン共重合体、ポリイソプレン、アクリロニトリル−ブタジエン系共重合体等が挙げられる。好ましくはシリコーンゴム、純化天然ゴム又はポリイソプレンである。
【００１９】
ここで、本発明の医療混注管用割弁８を使用した場合について説明する。図７は、本発明の割弁を使用したニードルレス混注管の斜視図である。図７において、側管４には、上部開口部に蓋５が設けられており、蓋爪部５ａがつまみを構成し、後部には蓋５と側管４とを蝶番５ｂで開閉可能に接続されており、前記つまみを摘んで開閉するようになっている。またニードルレス混注管において、蓋５を省略したニードルレス混注管に割弁を使用したニードルレス混注管を用いることができることは言うまでもない。図７に示されるニードルレス混注管１は、本管２と側管４とでＴ字型に形成されており、本管２には、開口部３ａ及び３ｂを有する。また、この側管４と本管２は連通しており、更に側管４には、ニードルレス混注管用割弁８を内蔵するものである。この割弁８は、側管４の内径に一致して形成されるか、液漏れを防止するためにわずかに側管４の内径より大きく形成されるが、この点は、医療機器の技術分野において慣用されていることである。割弁８は、基本的には円板状であり側管４の内壁に上下に設けられているシールリップ９、９により側管４の内壁に密着されている。
【００２０】
このように側管４に設置され内蔵されている割弁８の内壁の円周部には、図１乃至図６に示されている如き円形凹部１０が側壁周囲に形成され、該側壁の上端及び下端はシールリップ９、９が形成される。図７に示されるニードルレス混注管１は、使用に際し、つまみ５ａを摘んで蓋５を開け、ニードルレス注射器の先端テーパ部をニードルレス混注管用割弁８の中心部に刺し込んで薬液等を注入する。この円形凹部１０により十文字形状の溝状切込部１１ａ、１１ｂにニードルレス注射器の先端テーパ部が挿入されると、その応力が円形凹部１０へ歪として現れ、割弁８は、円周方向に膨らむが、その膨らむときの押圧は円形凹部１０に吸収されるので、挿入時の拡張抵抗を逃がし、また抜去時の穿刺抵抗が軽減されるばかりでなく、薬液や血液の飛び跳ね等を防止することができる。即ちシールリップ９、９と連動する、いわゆる拮抗作用により挿入ならびに抜去等の操作が容易となるという優れた効果を奏するものである。
【００２１】
本発明の医療混注管用割弁８は、ニードルレス混注管に内蔵されて該混注管と共に用いられるが、このニードルレス混注管は、この他、適宜の用途に使用され、一例を挙げれば、輸液・輸血セット、血液回路、バッグ類の蓋、薬液ビンの蓋、検査器具等にも適宜応用される。
【００２２】
【発明の効果】本発明の医療混注管用割弁は、上面に同心円状に凹部、凸面もしくは平面及び下面に同心円状に凹曲面をそれぞれ有し、更に側壁の上端及び下端の円周上にそれぞれシールリップを有していてもよい円板状割弁において、該割弁の上面の凹部に上面から下方へ中心を通る有底の溝状切込部及び下面から上方へ中心を通る有天の溝状切込部を十文字に形成して得られた交差部を有することにより、ニードル注射器の使用が可能であることは勿論のこと、特にニードルレス注射器における穿刺抵抗を軽減し、かつ挿入時及び抜去時における操作を容易にすることができ、また閉塞性能も向上し、薬液や血液等の飛び跳ねを防止することができるという優れた効果を奏するものである。
【００２３】
また本発明の第２項に記載の医療混注管用割弁は、前記交差部は、薄膜で不連続となっていることにより、閉塞性能が向上し、貫通時における薬液や血液等の飛び跳ねを防止することができるという効果を奏するものである。また本発明の第３項に記載の医療混注管用割弁は、前記交差部の薄膜の中心に誘導用閉塞孔を有することにより、更にいっそう前記効果、即ちニードル注射器の使用が可能であることは勿論のこと、特にニードルレス注射器における穿刺抵抗を軽減し、かつ挿入時及び抜去時における操作を容易にすることができ、また閉塞性能も向上し、薬液や血液等の飛び跳ねを防止することができるという優れた効果を奏するものである。更に本発明の第４項に記載の医療混注管用割弁は、少なくとも溝状切込部又は誘導用閉塞孔のいずれかは、先細となるテーパー形状を有することにより、いっそう前記第１項乃至第３項の効果を奏するものである。更にまた本発明の第５項に記載の医療混注管用割弁は、前記溝状切込部は、両端が角形状又は円形状を有することことにより、穿刺時における薬液や血液等の飛び跳ねを効果的に防止することができる。
【図面の簡単な説明】
【図１】本発明の医療混注管用割弁を示す平面図乃至断面図である。
【図２】本発明の医療混注管用割弁の別の実施態様を示す平面図乃至断面図である。
【図３】本発明の医療混注管用割弁の更に別の実施態様を示す平面図乃至断面図を示す。
【図４】本発明の医療混注管用割弁の更に別の実施態様を示す平面図乃至断面図を示す。
【図５】本発明の医療混注管用割弁の更に別の実施態様を示す平面図乃至断面図を示す。
【図６】本発明の医療混注管用割弁の更に別の実施態様を示す平面図乃至断面図を示す。
【図７】本発明の医療混注管用割弁を用いた混注管を示す斜視図である。
【図８】本発明の医療混注管用割弁の更に別の実施態様を示す平面図乃至断面図である。
【図９】本発明の医療混注管用割弁の更に別の実施態様を示す平面図乃至断面図である。
【図１０】従来の医療混注管用割弁を用いた混注管を示す斜視図である。
【符号の説明】
１  混注管
２  本管
３ａ、３ｂ  本管開口部
４  側管
５  蓋
５ａ  蓋爪部（つまみ）
５ｂ  蓋蝶番
６  弾性部材の抑えキャップ
７  円形凹部
８、８０  医療混注管用割弁
８１  上部又は上面部
８１ａ  凸面部
８１ｂ  平面又は平面部
８２  下部又は下面部
８２ｂ  下面平面又は下面平面部
９  シールリップ
１０  側壁凹部
１１  注射器挿入部
１１ａ  上面から設けられた溝状切込部
１１ｂ  下面から設けられた溝状切込部
１１ｃ  閉塞孔
１１ｄ、１１ｅ  溝状切込部の両端部
１１ｆ  有底又は有底部
１１ｇ  有天又は有天部
１２ａ、１２ｂ  凹曲面部
ｄ  膜厚
【図１】
2005046176.tif 000003
【図２】
2005046176.tif 000004
【図３】
2005046176.tif 000005
【図４】
2005046176.tif 000006
【図５】
2005046176.tif 000007
【図６】
2005046176.tif 000008
【図７】
2005046176.tif 000009
【図８】
2005046176.tif 000010
【図９】
2005046176.tif 000011
【図１０】
2005046176.tif 000012
【手続補正書】
【提出日】平成15年8月4日(2003.8.4)
【手続補正１】
【補正対象書類名】明細書
【補正対象項目名】００１０
【補正方法】変更
【補正の内容】
【００１０】またこれらの溝状切込部１１ａ、１１ｂは、異次元で交差しており、両者は、有底１１ｆと有天１１ｇとの間の交差部は不連続であり、実質的には膜、好ましくは薄膜ｄが形成されている。この膜ｄの厚みは、０．０５〜０．３５ｍｍである。したがって、これらの溝状切込部１１ａ、１１ｂから血液又は薬液が漏れることはない。更に溝状切込部１１ａ、１１ｂの両端は、円形状に形成されている。このように形成されているので、ニードルレス注射器を挿入したときに、無理なく広がり、かつ円形部１１ｄ又は１１ｅがニードルレス注射器の先端テーパ部の外周に作用又は密着し、血液又は薬液等が漏れることがないばかりか、薬液や血液等の飛び跳ねが防止できる。更にこのような割弁８に設けられた溝状切込部１１ａ，１１ｂの交差部において、該中心（割弁の中心）には、閉塞孔１１ｃが設けられている。この閉塞孔１１ｃは、言うまでもなく密着孔であり、孔の内面は互いに密着しているが、ニードルレス注射器の先端テーパ部が挿入されると、容易に開き抵抗なく先端テーパ部は通過することができる。このように本発明のニードルレス混注管用割弁は、溝状切込部１１ａと溝状切込部１１ｂとが異次元で交差し、かつこれらの間に形成される薄膜ｄに、更に閉塞孔１１ｃを設けたことにより、注射器の挿入時及び抜去時における操作を容易にすることができ、また閉塞性能も格段に向上し、薬液や血液等の飛び跳ねや液漏れを防止することができるという格別顕著な効果を奏するものである。なお、本発明の医療混注管用割弁は、前記薄膜ｄに閉塞孔１１ｃを設けたものが主としてニードルレス注射器を使用した場合に用いられるが、これに限らず前記薄膜ｄのみからなる医療混注管用割弁（閉塞孔１１ｃを有しない。）は、ニードル注射器に好都合に用いられる。


【手続補正２】
【補正対象書類名】明細書
【補正対象項目名】００２３
【補正方法】変更
【補正の内容】
【００２３】また本発明の第２項に記載の医療混注管用割弁は、前記交差部は、薄膜で不連続となっていることにより、閉塞性能が向上し、貫通時における薬液や血液等の飛び跳ねを防止することができるという効果を奏するものである。また本発明の第３項に記載の医療混注管用割弁は、前記交差部の薄膜の中心に誘導用閉塞孔を有することにより、更にいっそう前記効果、即ちニードル注射器の使用が可能であることは勿論のこと、特にニードルレス注射器における穿刺抵抗を軽減し、かつ挿入時及び抜去時における操作を容易にすることができ、また閉塞性能も向上し、薬液や血液等の飛び跳ねを防止することができるという優れた効果を奏するものである。更に本発明の第４項に記載の医療混注管用割弁は、少なくとも溝状切込部又は誘導用閉塞孔のいずれかは、先細となるテーパー形状を有することにより、いっそう前記第１項乃至第３項の効果を奏するものである。更にまた本発明の第５項に記載の医療混注管用割弁は、前記溝状切込部は、両端が角形状又は円形状を有することにより、穿刺時における薬液や血液等の飛び跳ねを効果的に防止することができる。




【手続補正書】
【提出日】平成16年9月29日(2004.9.29)
【手続補正１】
【補正対象書類名】明細書
【補正対象項目名】００１６
【補正方法】変更
【補正の内容】
【００１６】
図１と同様に、図６は、上面に同心円状に凸曲面部８１ａを有する割弁を示す断面図である。図６のａにおいて、同心円状に凸曲面部８１ａを有する上面には、割弁８の中心を通る有底１１ｆの溝状切込部１１ａを有し、下面８２には、同心円状に凹曲面部１２ｂを有しており、更に該凹曲面部１２ｂには、割弁８の中心を通る有天１１ｇの溝状切込部１１ｂが設けられている。更にこのような割弁８に設けられた溝状切込部１１ａ，１１ｂの交差部において、該中心（割弁の中心）には、閉塞孔１１ｃが設けられている。この閉塞孔１１ｃは、言うまでもなく密着孔である。図６のｂにおいて、下面８２は、平面８２ｂからなり、これ以外の構成は図６のａと同じである。


【手続補正２】
【補正対象書類名】明細書
【補正対象項目名】図面の簡単な説明
【補正方法】変更
【補正の内容】
【図面の簡単な説明】
【図１】本発明の医療混注管用割弁を示す平面図乃至断面図である。
【図２】本発明の医療混注管用割弁の別の実施態様を示す平面図乃至断面図である。
【図３】本発明の医療混注管用割弁の更に別の実施態様を示す平面図乃至断面図を示す。
【図４】本発明の医療混注管用割弁の更に別の実施態様を示す断面図を示す。
【図５】本発明の医療混注管用割弁の更に別の実施態様を示す断面図を示す。
【図６】本発明の医療混注管用割弁の更に別の実施態様を示す断面図を示す。
【図７】本発明の医療混注管用割弁を用いた混注管を示す斜視図である。
【図８】本発明の医療混注管用割弁の更に別の実施態様を示す平面図乃至断面図である。
【図９】本発明の医療混注管用割弁の更に別の実施態様を示す平面図乃至断面図である。
【図１０】従来の医療混注管用割弁を用いた混注管を示す斜視図である。
【符号の説明】
１  混注管
２  本管
３ａ、３ｂ  本管開口部
４  側管
５  蓋
５ａ  蓋爪部（つまみ）
５ｂ  蓋蝶番
６  弾性部材の抑えキャップ
７  円形凹部
８、８０  医療混注管用割弁
８１  上部又は上面部
８１ａ  凸面部
８１ｂ  平面又は平面部
８２  下部又は下面部
８２ｂ  下面平面又は下面平面部
９  シールリップ
１０  側壁凹部
１１  注射器挿入部
１１ａ  上面から設けられた溝状切込部
１１ｂ  下面から設けられた溝状切込部
１１ｃ  閉塞孔
１１ｄ、１１ｅ  溝状切込部の両端部
１１ｆ  有底又は有底部
１１ｇ  有天又は有天部
１２ａ、１２ｂ  凹曲面部
ｄ  膜厚


【手続補正３】
【補正対象書類名】図面
【補正対象項目名】図４
【補正方法】変更
【補正の内容】
【図４】
2005046176.tif 000013
【手続補正４】
【補正対象書類名】図面
【補正対象項目名】図５
【補正方法】変更
【補正の内容】
【図５】
2005046176.tif 000014
【手続補正５】
【補正対象書類名】図面
【補正対象項目名】図６
【補正方法】変更
【補正の内容】
【図６】
2005046176.tif 000015